(57)【要約】【課題】簡単な構造でコントロールボックスを位置決めして揺れや回転を確実に防止できるのは勿論、サイズが異なる既存のコントロールボックスにも対応可能として汎用性を高める。【解決手段】電気自動車用充電キャビネット１は、前面を開口させた箱状のキャビネット本体２と、開口を開閉可能な扉３とを備え、キャビネット本体２内の上部に、充電ケーブル２０に設けた電源プラグ２１を差し込み接続可能な充電用コンセントを設けており、さらにキャビネット本体２内に、充電ケーブル２０が充電用コンセントに接続された状態で充電ケーブル２０に設けられたコントロールボックス２３の背面に当接可能な位置決め板１０を、前後方向の位置を調整可能に取り付けている。【選択図】図１
2015177730.tif 000002
【特許請求の範囲】
【請求項１】
前面を開口させた箱状のキャビネット本体と、前記開口を開閉可能な扉とを備え、前記キャビネット本体内の上部に、充電ケーブルに設けた電源プラグを差し込み接続可能な充電用コンセントを設けた電気自動車用充電キャビネットであって、
前記キャビネット本体内に、前記充電ケーブルが前記充電用コンセントに接続された状態で前記充電ケーブルに設けられたコントロールボックスの背面に当接する位置決め部材を、前後方向の位置を調整可能に取り付けたことを特徴とする電気自動車用充電キャビネット。
【請求項２】
前記位置決め部材は、前記キャビネット本体の側板と平行に形成され、前記側板に対して前後方向の位置を調整可能に取り付けられる取付部と、その取付部と直角に形成されて前記コントロールボックスの背面に当接する当接部とからなる平面視Ｌ字状の板体で、前記取付部は、前記当接部が前側に位置する向きと、前記当接部が後側に位置する向きとを選択して前記側板に取り付け可能であることを特徴とする請求項１に記載の電気自動車用充電キャビネット。
【請求項３】
前記取付部は、前後方向に伸びる複数の長孔を備え、前記長孔に対応して前記側板に突設したネジボスに前記長孔を貫通させたネジを締め付けることで前記側板に取り付けられ、前記ネジを緩めることで前後方向の位置が調整可能となることを特徴とする請求項２に記載の電気自動車用充電キャビネット。
【請求項４】
前記ネジボスを上下方向に複数並設して、前記取付部を取り付ける前記ネジボスの選択により前記位置決め部材の上下方向の位置も調整可能としたことを特徴とする請求項３に記載の電気自動車用充電キャビネット。
【発明の詳細な説明】
【技術分野】
【０００１】
本発明は、電気自動車に充電するために設置される電気自動車用充電キャビネットに関する。
【背景技術】
【０００２】
電気自動車への充電の際には、車載のバッテリーと電気自動車用充電キャビネットに設けられた充電コンセントとがケーブルで接続される。このケーブルには、漏電遮断リレーや充電制御回路、充電状況を示す表示部等を有するコントロールボックスが備えられているが、このコントロールボックスは、充電コンセントに差し込むための電源プラグに近い位置に接続されていることから、充電中は充電コンセントに差し込まれる電源プラグから垂れ下がった状態となる。従って、充電コンセントに接続したケーブルを取り扱う際にコントロールボックスが揺れたり回ったりすることが多く、このコントロールボックスの動きによってケーブルに余計な負荷がかかるおそれがある。また、扉に設けた窓からの表示部の視認性も悪くなる。
そこで、特許文献１には、キャビネット筐体の内部に、漏電遮断リレー収納ボックス（コントロールボックス）の重量を受けるボックス保持部を配置して、漏電遮断リレー収納ボックスを保持するようにした充電キャビネットの発明が開示されている。
また、特許文献２には、筐体に、筐体の内底面より突出してＣＣＩＤ（コントロールボックス）の背面に当接する突台部を設けて、ＣＣＩＤの後方への移動を規制して扉体の窓からＣＣＩＤの表示灯を視認しやすくした充電ボックスの発明が開示されている。
【先行技術文献】
【特許文献】
【０００３】
【特許文献１】特許第５４１４０２４号公報
【特許文献２】特開２０１２−２１７３１４号公報
【発明の概要】
【発明が解決しようとする課題】
【０００４】
しかし、上記特許文献１の充電キャビネットでは、漏電遮断リレー収納ボックスに形成したフックや突起をボックス保持部に係止させる構造となっているため、漏電遮断リレー収納ボックスにフックや突起を新たに設ける必要があり、コストアップに繋がる上、フック等のない既製のコントロールボックスでは対応できないという問題がある。漏電遮断リレー収納ボックスに手を加えずにボックス保持部に設けた壁の間に落とし込む構造も開示されているが、この場合もボックス保持部に収まる漏電遮断リレー収納ボックスしか使用できないため、汎用性が高いとは言えない。そして、何れの場合もケーブルの着脱の際には、電源プラグの抜き差し操作に加えて漏電遮断リレー収納ボックスをボックス保持部に対して出し入れする操作が必要となり、操作が面倒となる上、ボックス保持部への保持をし忘れるおそれもある。
上記特許文献２の充電ボックスの場合、コントロールボックスを突台部に当接させるだけで足りるため、特許文献１のような出し入れ操作は不要となるが、突台部と扉体との間で固定できる特定のサイズのコントロールボックスしか対応できないことから、やはり汎用性に劣る。
【０００５】
そこで、本発明は、簡単な構造でコントロールボックスを位置決めして揺れや回転を確実に防止でき、視認性に優れるのは勿論、サイズが異なる既存のコントロールボックスにも対応できて汎用性の高い電気自動車用充電キャビネットを提供することを目的としたものである。
【課題を解決するための手段】
【０００６】
上記目的を達成するために、請求項１に記載の発明は、前面を開口させた箱状のキャビネット本体と、当該開口を開閉可能な扉とを備え、キャビネット本体内の上部に、充電ケーブルに設けた電源プラグを差し込み接続可能な充電用コンセントを設けた電気自動車用充電キャビネットであって、キャビネット本体内に、充電ケーブルが充電用コンセントに接続された状態で充電ケーブルに設けられたコントロールボックスの背面に当接する位置決め部材を、前後方向の位置を調整可能に取り付けたことを特徴とするものである。
請求項２に記載の発明は、請求項１の構成において、位置決め部材は、キャビネット本体の側板と平行に形成され、側板に対して前後方向の位置を調整可能に取り付けられる取付部と、その取付部と直角に形成されてコントロールボックスの背面に当接する当接部とからなる平面視Ｌ字状の板体で、取付部は、当接部が前側に位置する向きと、当接部が後側に位置する向きとを選択して側板に取り付け可能であることを特徴とするものである。
請求項３に記載の発明は、請求項２の構成において、取付部は、前後方向に伸びる複数の長孔を備え、長孔に対応して側板に突設したネジボスに長孔を貫通させたネジを締め付けることで側板に取り付けられ、ネジを緩めることで前後方向の位置が調整可能となることを特徴とするものである。
請求項４に記載の発明は、請求項３の構成において、ネジボスを上下方向に複数並設して、取付部を取り付けるネジボスの選択により位置決め部材の上下方向の位置も調整可能としたことを特徴とするものである。
【発明の効果】
【０００７】
請求項１に記載の発明によれば、コントロールボックスの背面に当接する位置決め部材を、前後方向の位置を調整可能に取り付けたことで、簡単な構造で扉と位置決め部材との間でのコントロールボックスの位置決めが可能となる。従って、コントロールボックスの揺れや回転を確実に防止でき、表示部の視認性に優れるのは勿論、サイズが異なる既存のコントロールボックスにも対応できて汎用性の高いものとなる。
請求項２に記載の発明によれば、請求項１の効果に加えて、位置決め部材を当接部の前後位置を選択して取り付け可能としたことで、コントロールボックスの厚みやキャビネット本体の奥行き寸法等に応じて当接部を適正な初期位置に位置させることができ、その後の位置調整がし易くなる。
請求項３に記載の発明によれば、請求項２の効果に加えて、ネジと長孔とによって位置決め部材の固定と前後の位置調整、さらには当接部の前後の向きの選択とが簡単に行える。
請求項４に記載の発明によれば、請求項３の効果に加えて、位置決め部材の上下方向の位置も調整可能としたことで、コントロールボックスの上下方向の位置や長さに合わせた適切な位置を選択して位置決め部材を当接させることができる。
【図面の簡単な説明】
【０００８】
【図１】電気自動車用充電キャビネットの説明図である。
【図２】コントロールボックスの位置決め状態の説明図である。
【図３】位置決め板の向きを逆にした電気自動車用充電キャビネットの説明図である。
【図４】電気自動車用充電キャビネットの他の例を示す説明図である。
【発明を実施するための形態】
【０００９】
以下、本発明の実施の形態を図面に基づいて説明する。
図１は、電気自動車用充電キャビネットの一例を示す説明図で、電気自動車用充電キャビネット（以下単に「充電キャビネット」という。）１は、前面（図１の左下側を前方とする。）を開口した縦長箱状のキャビネット本体２の前面に、扉３を左側縁においてヒンジ４，４で結合してなる。キャビネット本体２内の上部には、正面に電源スイッチ６を、下面に図示しない充電用コンセントをそれぞれ備えて商用電源等の外部電源に接続される電源部５が設けられている。また、キャビネット本体２の背面には、壁掛け用の図示しない係止部が設けられ、下面には、充電ケーブルを巻き掛けて収容する引掛金具７が設けられている。
【００１０】
扉３は、ヒンジ４と反対側の側縁寄りにハンドル８を備え、ヒンジ４寄りの下部には、透明な縦長矩形状の窓９が形成されて、扉３を閉めた状態でキャビネット本体２の内部を視認可能としている。
【００１１】
そして、キャビネット本体２内で電源部５の下方には、位置決め部材としての位置決め板１０が設けられている。この位置決め板１０は、キャビネット本体２の左側の側板２ａと平行な取付部１１と、その取付部１１と直角に形成される当接部１２とからなる平面視Ｌ字状で、取付部１１がキャビネット本体２の側板２ａに固定されることで、当接部１２が充電用コンセントの下方で左右方向に突出するようになっている。取付部１１には、前後方向に伸びる上下一対の長孔１３，１３が形成されており、この長孔１３，１３の上下の間隔に合わせて側板２ａに突設されたネジボス１４，１４に、長孔１３，１３を貫通させたネジ１５，１５をねじ込むことで、取付部１１は側板２ａに固定される。
【００１２】
よって、ネジ１５，１５を緩めた状態では、長孔１３，１３のガイドによって位置決め板１０を前後へスライドさせることができ、長孔１３のストローク内で位置決め板１０の取付位置が前後方向に調整可能となる。なお、ネジボス１４は、上下方向に複数（ここでは４つ）等間隔で突設されていることから、取付部１１を固定するネジボス１４，１４の選択により、位置決め板１０の位置が上下方向にも調整可能となる。
【００１３】
２０は充電ケーブルで、一端側には、電源部５の充電用コンセントに差し込み接続される電源プラグ２１が設けられ、他端側には、電気自動車に接続される充電コネクタ２２（図３）が設けられている。また、電源プラグ２１の近傍には、漏電遮断リレーや充電制御回路等を内蔵したコントロールボックス２３が設けられている。このコントロールボックス２３の前面には、充電状況を示すＬＥＤ等を備えた表示部２４が設けられている。
【００１４】
以上の如く構成された充電キャビネット１においては、充電ケーブル２０の電源プラグ２１を電源部５の充電用コンセントに差し込み接続すると、電源プラグ２１の下方でコントロールボックス２３が垂れ下がることになるが、位置決め板１０の当接部１２がコントロールボックス２３の背面に当接するため、コントロールボックス２３は前後に振れたり回転したりすることなく、表示部２４を前面に向けた鉛直姿勢で位置決めされる。よって、充電ケーブル２０に余計な負荷が加わることがない。
【００１５】
そして、充電コネクタ２２を電気自動車に接続して電源スイッチ６をＯＮ操作すると、充電が開始され、充電状況がコントロールボックス２３の表示部２４に表示される。この状態で扉３を閉めると、図２に示すように、コントロールボックス２３は扉３と当接部１２との間で挟持される。このときコントロールボックス２３の前方に窓９が位置するため、外部から表示部２４の視認は可能となる。なお、キャビネット本体２の底板には、扉３を閉めた状態で充電ケーブル２０を下方から引き出し可能な切欠部１６が形成されている。
【００１６】
充電が終了すると、扉３を開いて電源スイッチ６をＯＦＦ操作し、電気自動車から抜き取った充電コネクタ２２を、キャビネット本体２内で電源部５の右側下面に設けた図示しない保持金具に保持させ、巻回した充電ケーブル２０を引掛金具７に引っ掛けて収容することができる（図３）。
【００１７】
そして、コントロールボックス２３の前後の厚みによってコントロールボックス２３の背面と位置決め板１０の当接部１２とがうまく当接しない場合は、位置決め板１０を固定するネジ１５を緩めて前後にスライド可能とした状態で、電源プラグ２１を接続した充電ケーブル２０から垂れ下がるコントロールボックス２３の背面に当接部１２が当接するように位置決め板１０をスライドさせ、再びネジ１５を締め付けて位置決め板１０を固定すれば、同様にコントロールボックス２３を前向き鉛直姿勢で位置決めすることができる。
【００１８】
また、コントロールボックス２３の厚みが大きく、位置決め板１０のスライドのみでは対応できないような場合は、図３に示すように、位置決め板１０を、当接部１２が後側になる向きで取付部１１を取り付ければよい。このようにすれば厚みの大きいコントロールボックス２３でも位置決め板１０の前後方向の位置調整によって当接部１２を背面に当接させることができる。
【００１９】
このように、上記形態の充電キャビネット１によれば、キャビネット本体２内に、充電ケーブル２０が充電用コンセントに接続された状態で充電ケーブル２０に設けられたコントロールボックス２３の背面に当接する位置決め板１０を、前後方向の位置を調整可能に取り付けたことで、簡単な構造で扉３と位置決め部材１０との間でのコントロールボックス２３の位置決めが可能となる。従って、コントロールボックス２３の揺れや回転を確実に防止でき、表示部２４の視認性に優れるのは勿論、サイズが異なる既存のコントロールボックス２３にも対応できて汎用性の高いものとなる。
【００２０】
特にここでは、位置決め板１０を、キャビネット本体２の側板２ａと平行に形成され、側板２ａに対して前後方向の位置を調整可能に取り付けられる取付部１１と、その取付部１１と直角に形成されてコントロールボックス２３の背面に当接する当接部１２とからなる平面視Ｌ字状の板体として、取付部１１を、当接部１２が前側に位置する向きと、当接部１２が後側に位置する向きとを選択して側板２ａに取り付け可能としているので、コントロールボックス２３の厚みやキャビネット本体２の奥行き寸法等に応じて当接部１２を適正な初期位置に位置させることができ、その後の位置調整がし易くなる。
【００２１】
また、取付部１１は、前後方向に伸びる長孔１３，１３を備え、長孔１３，１３に対応して側板２ａに突設したネジボス１４，１４に長孔１３，１３を貫通させたネジ１５，１５を締め付けることで側板２ａに取り付けられ、ネジ１５，１５を緩めることで前後方向の位置が調整可能となるようにしているので、位置決め板１０の固定と前後の位置調整、さらには当接部１２の前後の向きの選択とが簡単に行える。
さらに、ネジボス１４を上下方向に複数並設して、取付部１１を取り付けるネジボス１４の選択により位置決め板１０の上下方向の位置も調整可能としたことで、コントロールボックス２３の上下方向の位置や長さに合わせた適切な位置を選択して位置決め板１０を当接させることができる。
【００２２】
なお、上記形態の充電キャビネット１は、壁掛け型となっているが、図４に示すように自立型の充電キャビネット１Ａであっても位置決め板１０は適用可能である。図４において、１７はキャビネット本体２の背板から前方へ突出するケーブルホルダで、キャビネット本体２内で充電ケーブル２０を巻き付けて収納することができる。
この充電キャビネット１Ａは、上下寸法が壁掛け型よりも長くなっているが、基本的な構成は壁掛け型と同じで、扉３の上下方向の中間部に窓９が設けられ、側板２ａの中間部に位置決め板１０が取り付けられる。ここではキャビネット本体２の奥行き寸法が壁掛け型よりも大きいため、位置決め板１０は、当接部１２が後側になる向きで取付部１１を取り付けて前後方向の位置を調整可能としているが、コントロールボックス２３の厚み等によっては当接部１２が前側になる向きで取付部１１を取り付けることは勿論可能である。
【００２３】
また、位置決め板の取付構造は、ネジボスや長孔の数を増やしたり、ネジをツマミネジとしたり等適宜変更可能である。位置決め板の形状も、平面視Ｌ字状に限らず、取付部の中間部位に当接部が直交状に連結される平面視Ｔ字状とすることもできる。さらに、当接部の先端を前向きに折り曲げて、当該折曲片をコントロールボックスの側面に当接させることで左右方向の揺れを規制するようにしてもよい。勿論位置決め板は左側の側板に限らず、キャビネット本体内で垂れ下がるコントロールボックスの位置によっては右側の側板に設けることもできる。
但し、位置決め部材としては上記形態のような板体に限らず、例えばＬ字状に折曲した上下二本の棒状体を繋げたフレーム状とする等、適宜設計変更可能である。
【符号の説明】
【００２４】
１，１Ａ・・電気自動車用充電キャビネット、２・・キャビネット本体、２ａ・・側板、３・・扉、５・・電源部、９・・窓、１０・・位置決め板、１１・・取付部、１２・・当接部、１３・・長孔、１４・・ネジボス、１５・・ネジ、２０・・充電ケーブル、２１・・電源プラグ、２２・・充電コネクタ、２３・・コントロールボックス、２４・・表示部。
【図１】
2015177730.tif 000003
【図２】
2015177730.tif 000004
【図３】
2015177730.tif 000005
【図４】
2015177730.tif 000006